(57)【特許請求の範囲】
【請求項１】
非使用状態にあるときに検査信号を出力する複数の入力機器がそれぞれ別個の入力ラインを介してそれぞれ接続されている複数の入力端子と、
複数の出力機器がそれぞれ接続されている複数の出力端子と、
上記各入出力端子間を、制御信号に従って接続するマトリックス手段と、
上記各入力機器のうち使用状態にある入力機器が接続されている上記入力端子を、予め定めた上記各出力端子と接続する状態に上記制御信号を生成する制御手段と、を備えたマトリックス装置において、
上記各入力機器のうち非使用状態にある入力機器が接続されている上記入力端子に入力される信号レベルを検出する検出手段と、
を具備するマトリックス装置の検査装置。
【請求項２】
非使用状態にあるときに検査信号を出力する複数の入力機器がそれぞれ別個の入力ラインを介してそれぞれ接続されている複数の入力端子と、
複数の出力機器がそれぞれ接続されている複数の出力端子と、
上記各入出力端子間を、制御信号に従って接続するマトリックス手段と、
上記各入力機器のうち使用状態にある入力機器が接続されている上記入力端子を、予め定めた上記各出力端子と接続する状態に上記制御信号を生成する制御手段と、を備えたマトリックス装置において、
上記制御手段が、上記各入力機器のうち非使用状態にある入力機器が接続されている上記入力端子についても、これを上記各出力機器のうち非使用状態にある出力機器が接続されている上記出力端子と、１対１で接続する状態に上記制御信号を生成するよう構成されており、
上記非使用状態にある入力機器が接続されている上記入力端子と接続された上記出力端子に到達する信号のレベルを検出する検出手段と、
を具備するマトリックス装置の検査装置。
【請求項３】
上記マトリックス手段が、複数本のディジタルバスから成るディジタルバス形式のものであって、
上記制御手段が、上記各入力端子をそれぞれ１本の上記ディジタルバスを介して上記各出力端子に接続すると共に、上記非使用状態にある入力機器が接続されている上記入力端子と上記非使用状態にある出力機器が接続されている上記出力端子との接続については、上記複数のディジタルバスのうち、上記使用状態にある入力機器が接続されている上記入力端子を上記各出力端子に接続するのに使用されているディジタルバス以外の非使用状態にあるバスが存在する場合にのみ、この非使用状態にあるディジタルバスを介して、それぞれ所定数ずつ順次接続する状態に上記制御信号を生成するよう構成されたことを特徴とする請求項２に記載のマトリックス装置の検査装置。
【請求項４】
上記制御手段が、上記非使用状態にある入力機器が接続されている上記入力端子と上記非使用状態にある出力機器が接続されている上記出力端子と上記非使用状態にあるバスとをそれぞれ検索する検索手段と、この検索手段によって検索された上記各入力端子と上記各出力端子と上記各バスとをそれぞれ所定数ずつ順次接続する状態に上記制御信号を生成する接続制御手段と、を備え、
上記検出手段による検出レベルが所定のレベルよりも低いときにこれを異常と判定するレベル判定手段と、
上記レベル判定手段によって異常と判定された上記非使用状態にある入力機器が接続されている上記入力端子と上記非使用状態にある出力機器が接続されている上記出力端子と上記非使用状態にあるバスとの組み合わせを順次記憶する記憶手段と、
この記憶手段に記憶された上記各組み合わせから、上記非使用状態にある入力機器から上記非使用状態にあるバスの入力側までの間の入力ライン、上記非使用状態にあるバス、及び該非使用状態にあるバスの出力側から上記非使用状態にある出力機器が接続されている上記出力端子までの間の出力ライン、のうちのいずれが異常であるのかを判断する判断手段と、
を設けたことを特徴とする請求項３に記載のマトリックス装置の検査装置。
【発明の詳細な説明】
【０００１】
【発明の属する技術分野】
本発明は、複数の入力機器と複数の出力機器とが接続され、上記各入力機器の出力信号をいずれの出力機器に出力させるかを制御するマトリックス装置の検査装置に関し、特に上記各入力機器とマトリックス装置との間を結ぶ入力ラインを検査する検査装置に関する。
【０００２】
【従来の技術】
上記のようなマトリックス装置は、例えばビルの構内放送設備等に用いられる。このマトリックス装置を用いた放送設備として、従来、例えば図６に示すようなものがある。同図は、例えばショッピングセンター用の放送設備の一例を示すもので、同図において、１が、マトリックス装置である。そして、このマトリックス装置１の入力側（同図の左側）にそれぞれ接続されている２乃至７が、上記入力機器としての入力音源であり、一方、出力側にそれぞれＰＡアンプ１０、１０、・・・を介して接続されている８、８、・・・が、上記出力機器としてのスピーカである。なお、上記各入力音源２乃至７のうち、２乃至５は、例えばカセットデッキや音声ファイル装置等により構成されており、それぞれ予め定めた時間（定期的）に放送を行なうように、プログラムタイマ９によって制御されている。そして、他の入力音源６及び７は、例えば卓上用のマイクロホンで、このマイクロホン６及び７については、オペレータが例えばアナウンスを流すとき等に、任意に使用可能とされている。
【０００３】
このようなマトリックス装置１においては、各入力音源２乃至７の放送音（音声信号）をいずれのスピーカ８、８、・・・から出力させるかの所謂経路（ルーティング）設定が予め成されている。即ち、マイクロホン装置１は、各入力音源２乃至７による放送が実際に開始されたとき、各放送音をそれぞれ希望のスピーカ８、８、・・・から出力するように、上記経路設定に従って、各入力音源２乃至７及びスピーカ８、８、・・・間を接続する。例えば、プログラムタイマ９によって制御される入力音源２乃至５のうち、開店用コマーシャル（ＣＭ）、閉店用コマーシャル及びＢＧＭ放送用の入力機器２乃至４については、それぞれの放送音が、全てのスピーカ８、８、・・・から出力されるように上記経路設定が成されている。また、エスカレータ用アナウンスを放送する入力音源５については、その放送音が、エスカレータ付近に設置された（同図の一番下方にある）スピーカ８からのみ出力されるように上記経路設定が成されている。更に、各マイクロホン６及び７についても、それぞれの放送音が希望のスピーカ８、８、・・・から出力されるように予め上記経路設定が成されている。
【０００４】
なお、このマトリックス装置１では、個々のスピーカ８、８、・・・に対して、同時に複数の異なる入力音源２乃至７を接続するのを禁止している。これは、各スピーカ８、８、・・・から、同時に複数の異なる音声が出力されると、このマトリックス装置１を用いている放送設備自体が、それ本来の機能を果たさなくなるためである。そこで、このようなマトリックス装置１では、予め各入力音源２乃至７相互間での優先順位を決めておき、各スピーカ８、８、・・・に対して同時に複数の入力音源２乃至７が接続される場合には、これら複数の入力音源２乃至７のうち、上記優先順位の最も高いものを優先して上記スピーカ８、８、・・・に接続するように、各入出力間の接続を制御している。
【０００５】
ただし、これを実現するには、マトリックス装置１に対して、各入力音源２乃至７がそれぞれ使用（放送）状態にあるか否かを認識させる必要がある。そこで、このようなマトリックス装置１において、その入力機器として用いられる上記各入力音源２乃至７は、それぞれが使用状態にあるときに、それぞれの音声信号を出力するだけでなく、それ自体が使用状態にあることを表わす制御信号を出力するよう構成されている。そして、この制御信号を、それぞれの音声信号を伝送させる音声入力ラインとは別のライン、例えば制御入力ラインを介して、マトリックス装置１に入力する。従って、マトリックス装置１は、この制御信号により、各入力音源２乃至７が使用状態にあるか否かを認識することができる。
【０００６】
なお、マトリックス装置１は、例えば放送室等に設置されるのが最も一般的であり、例えば、上記放送室に設置された図示しない大型ラック（キャビネットラック）内に収容されることが多い。そして、プログラムタイマ９や、このプログラムタイマ９によって制御される各入力音源２乃至５、更には上述したＰＡアンプ１０、１０、・・・についても、マトリックス装置１と同様に、上記大型ラックに収容されることが多い。一方、マイクロホン６及び７については、そのうちの１台（マイクロホン６）が、例えば放送室に設置され、他の１台（マイクロホン７）が、放送室から離れた位置にある案内所等に設置される。そして、各スピーカ８、８、・・・は、マーケット内の適宜場所に設置される。
【０００７】
ところで、上記マイクロホン６及び７については、上述したように、例えばオペレータがアナウンスを流すとき等に使用するものであって、それほど頻繁に使用されるものではない。しかし、アナウンスには、重要な内容のものが多いので、このような放送設備においては、アナウンスを確実に放送することが大切である。従って、もし、各マイクロホン６、７とマトリックス装置１との間を接続するケーブル、特に音声入力ラインに、断線等の不具合が生じた場合には、直ちにこれを検知して、早急に対処する必要がある。
【０００８】
ところが、従来、このようなマトリックス装置１を用いた放送設備においては、各マイクロホン６、７とマトリックス装置１との間の上記音声入力ラインの断線等を検査する検査装置は、特に無かった。例えば、マイクロホン６、７を使用したときにスピーカ８、８、・・・から出力される放送音を、実際に耳で聴取することによって、上記断線等の不具合を検査していた。この検査方法は、マイクロホン６、７に限らず、他の入力機器２乃至５についても同様である。しかし、この方法では、特に上記のようにあまり使用頻度の高くないマイクロホン６、７の音声入力ラインについては、その検査が希にしか行われない。従って、上記ケーブルに断線等の不具合が生じても、これを直ちに検知することができなかった。これは、マトリックス装置１との距離が他の入力機器２乃至５に比べて離れているために、他の入力機器２乃至５の音声入力ラインに比べて、断線等の不具合が生じ易いというマイクロホン６、７の音声入力ラインにとっては、非常に都合の悪いことである。
【０００９】
【発明が解決しようとする課題】
即ち、本発明が解決しようとする問題点は、従来のマトリックス装置１においては、各入力機器２乃至７、特にマイクロホン６、７と、マトリックス装置１との間を接続する音声入力ラインを検査する検査装置が無かったため、この音声入力ラインの断線等の不具合を直ちに検知できなかったという点である。そのため、上記不具合に対して、事前に、何等対処することができなかった。
【００１０】
そこで、本発明は、マトリックス装置１の入力側に接続される上記音声入力ラインを検査する検査装置を提供することを目的とする。
【００１１】
【課題を解決するための手段】
上述した目的を達成するために、本発明のうちで請求項１に記載の発明は、非使用状態にあるときに検査信号を出力する複数の入力機器がそれぞれ別個の入力ラインを介してそれぞれ接続されている複数の入力端子と、
複数の出力機器がそれぞれ接続されている複数の出力端子と、
上記各入出力端子間を、制御信号に従って接続するマトリックス手段と、
上記各入力機器のうち使用状態にある入力機器が接続されている上記入力端子を、予め定めた上記各出力端子と接続する状態に上記制御信号を生成する制御手段と、を備えたマトリックス装置において、
上記各入力機器のうち非使用状態にある入力機器が接続されている上記入力端子に入力される信号レベルを検出する検出手段と、
を具備するものである。
【００１２】
本請求項１に記載の発明によれば、各入力機器のうち、非使用状態にある入力機器が接続された入力ラインについて、これに入力機器から検査信号を入力し、この検査信号がマトリックス装置の入力端子側で検出されるか否かによって、入力ラインに断線等の不具合が生じていないかの検査を行っている。即ち、入力端子側で、上記検査信号が検出された入力ラインについては、正常であると見なされ、上記検査信号が検出されないラインについては、例えば断線や、接地レベルとの短絡等の不具合が生じているものと見なされる。なお、使用状態にある入力機器が接続されている入力ラインについては、上述した従来技術と同様に、各入力ラインに接続された出力機器側の出力状態を監視することによって、検査できる。
【００１３】
請求項２に記載の発明は、非使用状態にあるときに検査信号を出力する複数の入力機器がそれぞれ別個の入力ラインを介してそれぞれ接続されている複数の入力端子と、
複数の出力機器がそれぞれ接続されている複数の出力端子と、
上記各入出力端子間を、制御信号に従って接続するマトリックス手段と、
上記各入力機器のうち使用状態にある入力機器が接続されている上記入力端子を、予め定めた上記各出力端子と接続する状態に上記制御信号を生成する制御手段と、を備えたマトリックス装置において、
上記制御手段が、上記各入力機器のうち非使用状態にある入力機器が接続されている上記入力端子についても、これを上記各出力機器のうち非使用状態にある出力機器が接続されている上記出力端子と、１対１で接続する状態に上記制御信号を生成するよう構成されており、
上記非使用状態にある入力機器が接続されている上記入力端子と接続された上記出力端子に到達する信号のレベルを検出する検出手段と、
を具備するものである。
【００１４】
本請求項２に記載の発明によれば、各入力機器のうち非使用状態にある入力機器が接続された入力ラインが、マトリックス手段を介して、各出力機器のうち非使用状態にある出力機器が接続された出力端子に、１対１で接続される。そして、上記入力ラインに入力機器から検査信号を入力し、この検査信号が上記出力端子側で検出されるか否かによって、入力ラインからマトリックス手段を経て出力端子までに至る経路に、断線等の不具合が生じていないかの検査を行なっている。即ち、出力端子側で、上記検査信号が検出された上記経路については、正常であると見なされ、上記検出信号が検出されない経路については、例えば断線や、接地レベルとの短絡等の不具合が生じているものと見なされる。なお、使用状態にある入力機器が接続されている入力ラインと、この入力ラインに接続されている各出力端子までの間の経路については、上述した従来技術と同様に、各出力端子に接続された出力機器側の出力状態を監視することによって、検査できる。
【００１５】
請求項３に記載の発明は、請求項２に記載の発明のマトリックス装置の検査装置において、上記マトリックス手段が、複数本のディジタルバスから成るディジタルバス形式のものであって、
上記制御手段が、上記各入力端子をそれぞれ１本の上記ディジタルバスを介して上記各出力端子に接続すると共に、上記非使用状態にある入力機器が接続されている上記入力端子と上記非使用状態にある出力機器が接続されている上記出力端子との接続については、上記複数のディジタルバスのうち、上記使用状態にある入力機器が接続されている上記入力端子を上記各出力端子に接続するのに使用されているディジタルバス以外の非使用状態にあるバスが存在する場合にのみ、この非使用状態にあるディジタルバスを介して、それぞれ所定数ずつ、例えば１つずつ順次接続する状態に上記制御信号を生成するよう構成されたことを特徴とするものである。
【００１６】
本請求項３に記載の発明によれば、各入力端子は、それぞれ１本のディジタルバスを介して各出力端子に接続される。従って、本請求項３に記載の発明の検査装置においては、非使用状態にある入力機器が接続された入力ラインから、ディジタルバスを経て、非使用状態にある出力機器が接続された出力端子までの間の経路が、検査の対象となる。
【００１７】
ところで、本請求項３に記載の発明においては、各出力端子側に接続される入力端子数は、ディジタルバスの本数に依存する。即ち、同時に使用可能な入力機器の台数は、ディジタルバスの本数により限られる。従って、上記検査のためにディジタルバスが占用されることは、マトリックス装置の本来の動作（機能）にとって、あまり好ましいことではない。そこで、本請求項３に記載の発明によれば、上記ディジタルバスのうち、実際に使用状態にある入力機器を各出力機器側に接続するのに使用されているディジタルバス以外の所謂非使用状態にあるバスが存在する場合にのみ、この非使用状態にあるディジタルバスを例えば１本だけ使用して、上記検査を行なっている。即ち、上記検査よりも、飽くまでもマトリックス装置本来の動作を優先している。
【００１８】
また、上記のように、１本のディジタルバスにより上記非使用状態にある入出力端子間（入力ラインと出力端子との間）を順次接続して上記検査を行なっているので、この検査の対象となる各入出力端子の数がそれぞれ異なる場合には、様々な入力ラインと出力端子との組み合わせ（経路パターン）についての検査が行われる。従って、上記不具合が生じたときに、それが入力ライン、ディジタルバス、及びディジタルバスから出力端子までの間のいずれに生じているのかを、判別できる。
【００１９】
請求項４に記載の発明は、請求項３に記載の発明のマトリックス装置の検査装置において、上記制御手段が、上記非使用状態にある入力機器が接続されている上記入力端子と上記非使用状態にある出力機器が接続されている上記出力端子と上記非使用状態にあるバスとをそれぞれ検索する検索手段と、この検索手段によって検索された上記各入力端子と上記各出力端子と上記各バスとをそれぞれ所定数ずつ順次接続する状態に上記制御信号を生成する接続制御手段と、を備え、
上記検出手段による検出レベルが所定のレベルよりも低いときにこれを異常と判定するレベル判定手段と、
上記レベル判定手段によって異常と判定された上記非使用状態にある入力機器が接続されている上記入力端子と上記非使用状態にある出力機器が接続されている上記出力端子と上記非使用状態にあるバスとの組み合わせ（パターン）を順次記憶する記憶手段と、
この記憶手段に記憶された上記各組み合わせから、上記非使用状態にある入力機器から上記非使用状態にあるバスの入力側までの間の入力ライン、上記非使用状態にあるバス、及び該非使用状態にあるバスの出力側から上記非使用状態にある出力機器が接続されている上記出力端子までの間の出力ライン、のうちのいずれが異常であるのかを判断する判断手段と、
を設けたことを特徴とするものである。
【００２０】
本請求項４に記載の発明によれば、レベル検出手段によって異常と判定された上記入力ラインとバスと出力ラインとの組み合わせ（パターン）は、順次、記憶手段に記憶される。そして、判断手段が、上記記憶手段に記憶された各組み合わせを基に、上記入力ラインとバスと出力ラインとのうちのいずれに不具合が生じているのかを判断する。
【００２１】
【発明の実施の形態】
本発明に係るマトリックス装置の検査装置を、例えば上述した図６に示す放送設備に応用する場合について、その一実施の形態を、図１乃至図５を参照して説明する。図１は、上記図６を更に詳細に表わした図である。なお、この図１においては、本実施の形態の説明を簡明にするために、上記図６における入力機器２乃至７のうち、例えば案内所に設置されたマイクロホン７のみを代表して記載し、また、出力側についても、１台のスピーカ８（及びＰＡアンプ１０）のみを代表して記載している。なお、この図１においては、上記マイクロホン７による放送が、スピーカ８から出力されるように、上述した経路設定が成されているものとする。
【００２２】
図１に示すように、マトリックス装置１は、入力側（同図の左側）に、上記マイクロホン７が接続される音声入力端子１１と制御入力端子１２との２つの入力端子を備えている。このうち、音声入力端子１１に、音声入力ライン７１の一端が接続されており、この音声入力ライン７１を介して、マイクロホン７からその音声信号が音声入力端子１１に入力される。一方、制御入力端子１１には、制御入力ライン７２の一端が接続されており、この制御入力ライン７２を介して、マイクロホン７がそれ自体使用状態にあるときに出力する制御信号が制御入力端子１２に入力される。そして、マトリックス装置１の出力側には、出力端子１３が設けられており、この出力端子１３に、ＰＡアンプ１０を介してスピーカ８が接続されている。
【００２３】
そして、このマトリックス装置１は、内部に、例えば複数のディジタルバス１４ａ、１４ａ、・・・から成るディジタル・バス形式のマトリックス部１４を有している。このバス形式のマトリックス部１４は、ＣＰＵ（中央演算処理装置）２５からの命令に従って、このマトリックス部１４自体の入出力間を、上記各バス１４ａ、１４ａ、・・を介して接続するもので、このマトリックス装置１の入力側には、上記音声入力端子１１が、入力側増幅器１５及びＡ／Ｄ変換器１６を介して接続されている。一方、このマトリックス装置１の出力側には、Ｄ／Ａ変換器１７、出力側増幅器１８、及びＣＰＵ２５によってＯＮ／ＯＦＦ制御されるスイッチ回路１９を介して、上記出力端子１３が接続されている。
【００２４】
即ち、上記ＣＰＵ２５は、マイクロホン７が使用状態になったときに、このマイクロホン７が接続された音声入力端子１１と、上記経路設定によってこのマイクロホン７の出力先として指定されているスピーカ８が接続された出力端子１３とを接続するように、上記バス１４ａ、１４ａ、・・・を制御する。これと同時に、ＣＰＵ２５は、上記スイッチ回路１９をＯＮして、マイクロホン７からスピーカ８に至る経路を閉路状態とし、これによって、マイクロホン７による放送をスピーカ８から出力させる。なお、ＣＰＵ２５には、上述した制御入力端子１２が接続されており、ＣＰＵ２５は、この制御入力端子１２を介して上記マイクロホン７から上述した制御信号を受信することによって、マイクロホン７が使用状態になったことを認識して、上記バス１４ａ、１４ａ、・・・及びスイッチ回路１９を制御する。このようなＣＰＵ２５の一連の動作は、例えばＲＯＭやＲＡＭ構成のメモリ２０に記憶されているプログラムに従って実行される。また、上記経路設定も、このプログラムの一要素として、メモリ２０に記憶されている。
【００２５】
なお、ＣＰＵ２５は、上記バス１４ａ、１４ａ、・・・を制御する際に、例えば上記マイクロホン７という１台の入力機器につき、複数のバス１４ａ、１４ａ、・・・のうちのいずれか１本のみ使用して、これを上記スピーカ８と接続する。従って、同図ではスピーカ８を１台しか記載していないが、１台のマイクロホン７に対して複数のスピーカ８、８、・・・が接続される場合にも、これら各スピーカ８、８、・・・と上記マイクロホン７との間を、バス１４ａ１本のみで接続する。即ち、このバス形式のマトリックス装置１によれば、例えばこのマトリックス装置１の入力側に複数の入力機器が接続されていても、これら各入力機器を同時に使用（放送）できる台数は、上記バス１４ａ、１４ａの本数によって制限されることになる。従って、マトリックス部１４が、例えば１６本のバス１４ａ、１４ａ、・・・で構成されている場合には、同時に使用できる入力機器の台数は、最大１６台となる。
【００２６】
一方、上記マトリックス装置２の入力機器として使用されるマイクロホン７は、図１に示すように、アナウンス等の音声を収音マイク７３によって収音して得た音声信号を増幅する増幅回路７４を有しており、この増幅回路７４の出力側に、音声入力ライン７１の他端が接続されている。また、このマイクロホン７は、これ専用のＣＰＵ７５を内臓しており、このＣＰＵ７５に、上述した制御入力ライン７２の他端が接続されている。即ち、このマイクロホン７側のＣＰＵ７５は、上記制御入力ライン７２を介して、マトリックス装置１側のＣＰＵ２５と通信可能な状態に接続されている。
【００２７】
更に、上記ＣＰＵ７５には、トークスイッチ７６が接続されており、ＣＰＵ７５は、このトークスイッチ７６のＯＮ／ＯＦＦ操作に応じて、増幅回路７４から上記音声信号を出力させるか否かを制御する。即ち、このマイクロホン７においては、トークスイッチ７６の操作により、増幅回路７４から上記音声信号を出力させる状態とすることによって初めて、放送可能な状態、即ち使用状態となる。そして、トークスイッチ７６の操作により、増幅回路７４から上記音声信号を非出力状態とした場合に、放送不可能な状態、即ち非使用状態となる。なお、ＣＰＵ７５は、このマイクロホン７を上記使用状態としたとき、上述した制御信号を生成し、これを制御入力ライン７２を介して、マトリックス装置１側のＣＰＵ２５に送信する。このＣＰＵ７５の一連の動作は、マイクロホン７内に設けられた例えばＲＯＭやＲＡＭ構成のメモリ７７に記憶されているプログラムに従って実行される。
【００２８】
以上の説明は、例えばマイクロホン７が使用状態にあるときに、このマイクロホン７の放送音をスピーカ８から出力させるというマトリックス装置１本来の動作（機能）についての説明である。これに対して、本実施の形態は、上記マイクロホン７を含む各入力音源２乃至７と、各スピーカ８、８、・・・が接続された各出力端子３、３、・・・と、各バス１４ａ、１４ａ、・・・とのうち、それぞれ非使用状態にあるもの同志を接続して、各入力音源（２乃至７のいずれか）から音声入力ライン７２及びバス１４ａを経てスピーカ８に至る一本の経路を形成し、この経路に、入力音源（２乃至７のいずれか）側から所定の検査信号を供給して、この検査信号が出力端子３側で検出されるか否かによって、上記経路に断線等の不具合が生じていないかを検査するものである。
【００２９】
これを実現するために、例えばマイクロホン７は、内部に、上記検査信号として例えば２００Ｈｚの交流信号を発生する発振回路７８を有している。この発振回路７８は、マイクロホン７内のＣＰＵ７５に、後述する検査開始信号が供給されたときに上記検査信号を発振し、これを増幅回路７４を経て、音声入力ライン７１に入力する。そして、この発振回路７８は、ＣＰＵ７５に対して、後述する検査終了信号が供給されたときに、上記発振を停止する。なお、この発振信号を生成する構成については、他の入力音源２乃至６についても、同様である。
【００３０】
一方、マトリックス装置１は、その出力端子３、３、・・・側、詳しくは出力側増幅器１８の出力側（スイッチ回路１９の入力側）において、上記検査信号を検出するレベル検出部２１を有している。なお、このレベル検出部２１による上記検査信号の検出結果は、マトリックス装置１内のＣＰＵ２５に供給される。
【００３１】
このように構成されたマトリックス装置１、及びマイクロホン７を含む各入力音源２乃至７において、上述した検査は、それぞれに内蔵されたＣＰＵ２５及び７５が、それぞれ次のように動作することによって実現される。
【００３２】
即ち、ＣＰＵ２５は、図２から図４に示すフローチャートに従って動作する。なお、このフローチャートに従ってＣＰＵ２５を動作させるプログラムについても、マトリックス装置１内のメモリ２０内に記憶されている。
【００３３】
上記フローチャートに示すように、ＣＰＵ２５は、まず、各入力音源２乃至７がそれぞれ接続された各音声入力ライン７１、７１、・・・のうち、非使用状態にある入力音源（２乃至７のいずれか）が接続された所謂空き入力ライン７１を検索する（ステップＳ２）。なお、ＣＰＵ２５は、各入力音源２乃至７からそれぞれ制御信号が出力されているか否かによって、上記各入力音源２乃至７が使用状態にあるか否かを認識し、これによって上記空き入力ライン７１を検索している。そして、ＣＰＵ２５は、検索して得た空き入力ライン７１のうちのいずれか１つ、例えば最もライン番号の小さい入力ライン７１（各音声入力ライン７１、７１、・・・には予めライン番号が付与されている）を選択する（ステップＳ４）。
【００３４】
次に、ＣＰＵ２５は、マトリックス部１４を構成する各ディジタルバス１４ａ、１４ａ、・・・のうち、非使用状態にある所謂空きバス１４ａを検索する（ステップＳ６）。これら各バス１４ａ、１４ａ、・・・については、上述したようにＣＰＵ２５が制御しているので、ＣＰＵ２５は、これらバス１４ａ、１４ａ、・・・についても、いずれが非使用状態にあるのかを検索できる。そして、ＣＰＵ２５は、これら空きバス１４ａのうちのいずれか１つ、例えば最もバス番号の小さいバス１４ａ（各バス１４ａ、１４ａ、・・・には予めバス番号が付与されている）を選択する（ステップＳ８）。
【００３５】
更に、ＣＰＵ２５は、各スピーカ８、８、・・・がそれぞれ接続された各出力端子１３、１３、・・・のうち、非使用状態にあるスピーカ８が接続された所謂空き出力端子１３（詳しくはマトリックス部１４の出力側から出力端子１３までの間の所謂出力ライン）を検索する（ステップＳ１０）。なお、ＣＰＵ２５は、各入力音源２乃至７毎の（メモリ２０内に記憶されている）経路設定と、各入力音源２乃至７の使用状況との関係から、上記非使用状態にあるスピーカ８を検索し、ひいては上記空き出力ラインを検索している。そして、ＣＰＵ２５は、検索して得た空き出力ラインのうちのいずれか１つ、例えば最もライン番号の小さい出力ライン（各出力ラインには予め端子番号が付与されている）を選択する（ステップＳ１２）。
【００３６】
そして、ＣＰＵ２５は、上記ステップＳ４、Ｓ８及びＳ１２において、それぞれ選択した空き入力ライン７１（音声入力端子１１）と空きバス１４ａと空き出力ラインとを相互に接続して、１本の経路を形成する（ステップＳ１４）。なお、このとき、ＣＰＵ２５は、上記空き出力ラインの途中に設けられたスイッチ回路１９をＯＦＦ（開放）して、上記経路からスピーカ８（及びＰＡアンプ１０）を切り離す。
【００３７】
更に、ＣＰＵ２５は、上記経路を形成する空き入力ライン７１に接続された入力音源（２乃至７のいずれか）内のＣＰＵ７５に対して、上述した検査開始信号を送信する。これによって、この入力音源内の発振回路７８が検査信号を発振して、これを上記経路内に入力する。そして、この検査信号は、上記経路を介して、即ち音声入力ライン７１、入力側増幅器１５、Ａ／Ｄ変換器１６、バス１４ａ、Ｄ／Ａ変換器１７及び出力側増幅器１８を介して、レベル検出部２１に入力される。そして、このレベル検出部２１による上記検査信号の検出結果は、上述したようにＣＰＵ２５に供給される。
【００３８】
ＣＰＵ２５は、上記レベル検出部２１による検出レベルが、予め定めたしきい値（スレッショルドレベル）よりも低いか否かを判定する（ステップＳ１８）。ここで、この検出レベルが、上記しきい値よりも低いと判定したとき（ステップＳ２０においてＹＥＳのとき）、上記経路に断線や接地レベルとの短絡等の不具合が生じていると見なす。そして、この経路を形成する（上記ステップＳ４、Ｓ６及びＳ８においてそれぞれ選択した）音声入力ライン７１、バス１４ａ及び出力ラインと、これらの組み合わせを一旦、例えばメモリ２０内に記憶した後（ステップＳ２２）、上記検査信号を出力している入力音源（２乃至７のいずれか）に対して、上述した検査終了信号を送信する（ステップＳ２４）。この検査終了信号の送信により、上記経路に対する検査信号の入力が停止される。
【００３９】
一方、上記（ステップＳ１８において、上記レベル検出部２１による検出レベルが、上記しきい値以上であると判定されたとき（ステップＳ２０においてＮＯのとき）は、上記経路に異常がないものと見なして、上記ステップＳ２４に進む。なお、このステップＳ２４において、上記検査終了信号を出力した時点で、一つの経路（即ち入力音源（２乃至７のいずれか）とバス１４ａと出力ラインとの組み合わせ）についての検査が終了する。
【００４０】
そして、ＣＰＵ２５は、新たに検査の対象とする経路を形成するために、再度、上述したステップＳ２と同様に、空き入力ライン７１を検索する（ステップＳ２６）。なお、この時点では、まだ、前回の検査対象である経路（入力ライン７１とバス１４ａと出力ラインとの組み合わせ）は、接続されたままの（解除されていない）状態にあるので、上記前回の検査対象である経路の各構成要素については、上記検索の対象外とする。
【００４１】
そして、上記ステップＳ２６において新たに検索して得た空き入力ライン７１の中に、前回の検索対象である経路を構成する入力ライン（前回選択した入力ライン）７１よりも、ライン番号の大きいものがあるか否かを検索する（ステップＳ２８）。ここで、上記新たに検索された空き入力ライン７１の中に、前回選択した入力ライン７１よりも、ライン番号の大きいものがないと判断された場合（ステップＳ２８においてＹＥＳの場合）には、上記空き入力ライン７１のうち、最もライン番号の小さいものを選択する（ステップＳ３０）。一方、上記ステップＳ２８において、空き入力ライン７１の中に、前回選択した入力ライン７１よりも、ライン番号の大きいものがあると判断された場合（ステップＳ２８においてＮＯの場合）には、上記空き入力ライン７１のうち、前回選択した入力ライン７１の次にライン番号の小さいものを選択する（ステップＳ３２）。
【００４２】
上記新たな空き入力ライン７１を選択した後は、次に、上述したステップＳ６と同様に、新たな空きバス１４ａを検索する（ステップＳ３４）。
【００４３】
そして、上記ステップＳ３４において新たに検索して得た空きバス１４ａの中に、前回の検索対象である経路を構成するバス（前回選択したバス）１４ａよりも、バス番号の大きいものがあるか否かを検索する（ステップＳ３６）。ここで、上記空きバス１４ａの中に、前回選択したバス１４ａよりも、バス番号の大きいものがないと判断された場合（ステップＳ３６においてＹＥＳの場合）は、上記空きバス１４ａのうち、最もバス番号の小さいものを選択する（ステップＳ３８）。一方、上記ステップＳ３６において、空きバス１４ａの中に、前回選択したバス１４ａよりも、バス番号の大きいものがあると判断された場合（ステップＳ３６においてＮＯの場合）には、上記空きバス１４ａのうち、前回選択したバス１４ａの次にバス番号の小さいものを選択する（ステップＳ４０）。
【００４４】
更に、上述したステップＳ１０と同様に、新たな空き出力ラインを検索する（ステップＳ４２）。
【００４５】
そして、上記ステップＳ４２において新たに検索して得た空き出力ラインの中に、前回の検索対象である経路を構成する出力ライン（前回選択した出力ライン）よりも、ライン番号の大きいものがあるか否かを検索する（ステップＳ４４）。ここで、上記空き出力ラインの中に、前回選択した出力ラインよりも、ライン番号の大きいものがないと判断された場合（ステップＳ４４においてＹＥＳの場合）は、上記空き出力ラインのうち、最もライン番号の小さいものを選択する（ステップＳ４６）。一方、上記ステップＳ４４において、空き出力ラインの中に、前回選択した出力ラインよりも、ライン番号の大きいものがあると判断された場合（ステップＳ４４においてＮＯの場合）には、上記空き出力ラインのうち、前回選択した出力ラインの次にライン番号の小さいものを選択する（ステップＳ４８）。
【００４６】
ここで、ＣＰＵ２５は、前回の検査の対象としていた経路（空き入力ライン７１とバス１４ａと出力ラインとの接続）を解除し（ステップＳ５０）、その上で、上記新たに選択した空き入力ライン７１とバス１４ａと出力ラインとを相互に接続して、新たに検査の対象とする経路を形成する（ステップＳ５２）。これと同時に、ＣＰＵ２５は、上記新たな空き出力ラインの途中に設けられたスイッチ回路１９をＯＦＦ（開放）して、この新たに検査対象とする経路からスピーカ８（及びＰＡアンプ１０）を切り離す。なお、前回の検査の対象としていた経路（出力ライン）中に設けられているスイッチ回路１９については、ＯＮ／ＯＦＦのいずれの状態としてもよい（上記スイッチ回路１９は、いずれにしても、上記出力ラインが使用状態になるとＯＮされ、上記検査対象になるとＯＦＦされる）。
【００４７】
そして、ＣＰＵ２５は、上述したステップＳ１６と同様に、検査開始信号を出力する（ステップＳ５４）。これによって、上記新たな検査対象である経路に検査信号が入力されて、上記新たな経路の検査が開始される。
【００４８】
即ち、ＣＰＵ２５は、上述したステップＳ１８と同様に、レベル検出部２１による上記検査信号の検出レベルが、予め定めたしきい値よりも低いか否かを判定する（ステップＳ５６）。ここで、この検出レベルが、上記しきい値以上であると判定された場合（ステップＳ５８においてＮＯの場合）は、上記経路に異常がないものと見なして、上記ステップＳ２４に戻る。一方、上記検出レベルが、しきい値よりも低いと判定された場合（ステップＳ５８においてＹＥＳの場合）は、上記経路に断線や接地レベルとの短絡等の不具合が生じていると見なす。そして、この経路を形成する音声入力ライン７１、バス１４ａ及び出力ラインと、これらの組み合わせを一旦、例えばメモリ２０内に記憶する（ステップＳ６０）。
【００４９】
ここで、ＣＰＵ２５は、上記経路の不具合が、この経路を形成する入力ライン７１（詳しくは入力音源（２乃至７のいずれか）内の発振回路７８からマトリックス部１４の入力側までの間のライン）、バス１４ａ及び出力ラインのうちのいずれの不具合が原因で生じているものかを確認する。即ち、上記ステップＳ６０において今回記憶された入力ライン７１が、以前、不具合を生じてると見なされた経路を形成する（即ち記憶されたことのある）入力ライン７１と同じものであって、かつ、そのときの経路を形成するバス１４ａ及び出力ラインが、いずれも、今回記憶されたバス１４ａ及び出力ラインと異なるものであるか否かを確認する（ステップＳ６２）。そして、このステップＳ６２において、ＹＥＳの場合には、今回検査対象としている経路を形成する入力ライン７１に不具合が生じているものと判断し、この場合、ＣＰＵ２５は、上記入力ライン７１に異常が生じている旨の警告を出力する（ステップＳ６４）。なお、この警告は、例えばＣＰＵ２５に接続された表示部２２や、或いは外部出力端子２３を介して外部の周辺機器（例えばパーソナルコンピュータ）等に出力される。一方、上記ステップＳ６２において、ＮＯの場合には、上記入力ライン７１が原因で上記不具合が生じているのではないと判断され、上記ステップＳ６４をパスして次のステップＳ６６に進む。
【００５０】
ステップＳ６６においては、上記経路の不具合が、この経路を形成するバス１４ａが原因で生じているものなのか否かを確認する。即ち、上記ステップＳ６０において今回記憶されたバス１４ａが、以前、不具合を生じてると見なされた経路を形成する（即ち記憶されたことのある）バス１４ａと同じものであって、かつ、そのときの経路を形成する入力ライン７１及び出力ラインが、いずれも、今回記憶された入力ライン７１及び出力ラインと異なるものであるか否かを確認する。そして、このステップＳ６６において、ＹＥＳの場合には、今回検査対象としている経路を形成するバス１４ａに不具合が生じているものと判断し、このバス１４ａに異常が生じている旨の警告を出力する（ステップＳ６８）。一方、上記ステップＳ６６において、ＮＯの場合には、上記バス１４ａが原因で上記不具合が生じているのではないと判断され、ステップＳ６８をパスして次のステップＳ７０に進む。
【００５１】
ステップＳ７０においては、上記経路の不具合が、この経路を形成する出力ラインが原因で生じているものなのか否かを確認する。即ち、上記ステップＳ６０において今回記憶された出力ラインが、以前、不具合を生じてると見なされた経路を形成する（即ち記憶されたことのある）出力ラインと同じものであって、かつ、そのときの経路を形成する入力ライン７１及びバス１４ａが、いずれも、今回記憶された入力ライン７１及びバス１４ａと異なるものであるか否かを確認する。そして、このステップＳ７０において、ＹＥＳの場合には、今回検査対象としている経路を形成する出力ラインに不具合が生じているものと判断し、この出力ラインに異常が生じている旨の警告を出力して（ステップＳ７２）、ステップＳ２４に戻る。一方、上記ステップＳ７０において、ＮＯの場合には、上記出力ラインが原因で上記不具合が生じているのではないと判断され、ステップＳ７２をパスして、ステップＳ２４に戻る。
【００５２】
このステップＳ２４に戻ることによって、ＣＰＵ２５は、上記経路についての検査を終了し、更に新たな経路について、順次１本ずつ検査することになる。そして、この検査の対象となる経路は、入力ライン７１、７１、・・・、バス１４ａ、１４ａ、・・・及び出力ラインのうち、空き状態にあるものを、それぞれの番号の小さいものから順に１つずつ組み合わせたものにより形成される。なお、これら空き状態にある入力ライン７１、７１、・・・、バス１４ａ、１４ａ、・・・及び出力ラインは、それぞれ同数であるとは限らないので、結果的に、不規則に組み合わされることになる。よって、上述したステップＳ６２乃至Ｓ７２のような手順により、経路を形成する入力ライン７１、バス１４ａ及び出力ラインのうちのいずれに不具合が生じているのかを割り出すことができる。
【００５３】
なお、上記図２から図４に示すフローチャートにおいて、ステップＳ５０（検査の対象とする経路を解除するステップ）については、ステップＳ２４（検査終了信号を出力して１つの経路の検査を終了するステップ）とステップＳ２６（新たな空き入力ライン７１を検索するステップ）との間に設けてもよい。
【００５４】
ところで、各入力音源２乃至７側のＣＰＵ７５については、図５のフローチャートに従って動作する。なお、この図５のフローチャートに従ってＣＰＵ７５を動作させるプログラムについても、各入力音源２乃至７内のメモリ７７内に記憶されている。
【００５５】
即ち、マトリックス装置１側のＣＰＵ２５から、上述した検査開始信号を受信することによって（ステップＳ１０２）、検査信号を出力する（ステップＳ１０４）。そして、この検査信号を、マトリックス装置１側のＣＰＵ２５から、上述した検査終了信号を受信するまで出力し続ける（ステップＳ１０６）。そして、上記検査終了信号を受信した時点で、上記検査信号の発振を停止する（ステップＳ１０８）。
【００５６】
以上のように、本実施の形態によれば、各音声入力ライン７１、７１、・・・、バス１４ａ、１４ａ、・・・及び出力ラインを、常に検査しているので、これらに例えば断線や接地レベルとの短絡等の不具合が生じた場合、これを直ちに検知できる。従って、上述した従来技術とは異なり、上記不具合に対して、事前に、何等かの対処を施すことができる。
【００５７】
また、上記各音声入力ライン７１、７１、・・・、バス１４ａ、１４ａ、・・・及び出力ラインのうち、非使用状態にあるものを、検査の対象としているので、マトリックス装置１の本来の動作（機能）に影響を与えることなく、上記検査を実現できる。
【００５８】
なお、本実施の形態においては、検査信号を、例えば２００Ｈｚの交流信号としたが、これに限らず、例えば、超可聴周波数の交流信号や、或いは直流信号としてもよい。例えば、超可聴周波数を使用すれば、上述したスイッチ回路１９を省略できる。ただし、上記２００Ｈｚ程度の可聴周波数の交流信号を用いることによって、このマトリックス装置１が実際に取り扱う音声信号と同様の条件で、上記検査を行うことができる。
【００５９】
また、各入力音源２乃至７において、マトリックス装置１側のＣＰＵ２５から送信される検査開始信号を受信することによって初めて上記検査信号を出力するように構成したが、各入力音源２乃至７が非使用状態にあるときは、上記検査信号を常に出力する（たれ流しとする）状態に構成してもよい。ただし、上記のように、各入力音源２乃至７が、上記検査開始信号を受信して初めて上記検査信号を出力するよう構成することによって、各ＣＰＵ２５及び７５間を接続する制御入力ライン７２についても、同時に検査することができる。
【００６０】
そして、各音声入力ライン７１、７１、・・・、バス１４ａ、１４ａ、・・・及び出力ラインを、それぞれ１本ずつ接続してこれを検査の対象としたが、それぞれを複数本ずつ接続して検査してもよい。
【００６１】
更に、レベル検出部２１を、例えばマトリックス部１４の入力側、より詳しくは、入力側増幅器１５の入力側又は出力側に設け、これによって音声入力ライン７１、７１、・・・のみを検査の対象としてもよい。
【００６２】
また、本実施の形態においては、構内放送設備について説明したが、これ以外の用途にも、本発明を適用できることは言うまでもない。
【００６３】
【発明の効果】
以上のように、請求項１に記載の発明のマトリックス装置の検査装置は、常に入力ラインを検査しているので、各入力ラインに例えば断線や接地レベルとの短絡等の不具合が生じた場合、これを直ちに検知できるという効果がある。従って、上述した従来技術とは異なり、上記不具合に対して、事前に、何等かの対処を施すことができる。また、本請求項１に記載の発明によれば、各入力ラインのうち、非使用状態にある入力機器が接続された入力ラインを、上記検査の対象としているので、マトリックス装置の本来の動作（機能）に影響を与えることなく、上記検査を実現できる。
【００６４】
請求項２記載の発明のマトリックス装置の検査装置は、入力ラインからマトリックス手段を経て出力端子までの間の経路を、常に検査している。従って、この経路に、例えば断線や接地レベルとの短絡等の不具合が生じた場合、これを直ちに検知できるという効果がある。従って、上記請求項１に記載の発明と同様に、上記不具合に対して、事前に、何等かの対処を施すことができる。また、本請求項２に記載の発明によれば、各入力ラインのうち非使用状態にある入力機器が接続された入力ラインから、各出力端子のうち非使用状態にある出力機器が接続された出力端子までの間を、上記検査の対象としているので、マトリックス装置の本来の動作（機能）に影響を与えることなく、上記検査を実現できる。
【００６５】
請求項３に記載のマトリックス装置の検査装置によれば、ディジタルバス形式のマトリックス手段を用いたマトリックス装置についても、入力ラインからディジタルバスを経て出力端子までの間の経路を検査することができる。そして、この検査では、非使用状態にある入出力機器が接続された入出力端子間を、非使用状態にあるディジタルバスで接続することにより形成された経路のみを検査対象としているので、この検査が、マトリックス装置の本来の動作（機能）に影響を与えることはない。
【００６６】
請求項４に記載のマトリックス装置の検査装置によれば、レベル検出手段によって異常と判定された上記入力ラインとバスと出力ラインとの組み合わせパターンを順次記憶し、この記憶した各異常パターンから、入力ラインとバスと出力ラインとのうちのいずれに不具合が生じているのかを判断している。即ち、上記経路の不具合内容を、より詳細に検査することができるという効果がある。
【図面の簡単な説明】
【図１】本発明に係る検査装置の一実施の形態を示す概略構成図である。
【図２】同実施の形態におけるマトリックス装置側のＣＰＵの動作の流れを示すフローチャートである。
【図３】上記図２に続くフローチャートである。
【図４】上記図１及び図３に続くフローチャートである。
【図５】同実施の形態における入力音源側のＣＰＵの動作の流れを示すフローチャートである。
【図６】マトリックス装置を用いた構内放送設備の一例を示す概略構成図である。
【符号の説明】
１  マトリックス装置
２、３、４、５、６、７  入力音源（入力機器）
８  スピーカ（出力機器）
１１  音声入力端子
１３  出力端子
１４  マトリックス部（マトリックス手段）
２０  記憶手段
２１  レベル検出部（検出手段）
２５  ＣＰＵ（制御手段、レベル判定手段、判断手段）
７１  音声入力ライン
７２  制御入力ライン
７８  発振回路
【図１】
0003672409.tif 000002
【図２】
0003672409.tif 000003
【図３】
0003672409.tif 000004
【図４】
0003672409.tif 000005
【図５】
0003672409.tif 000006
【図６】
0003672409.tif 000007